(57)【要約】【課題】配管取付対象部への着脱手順の自由性を高くする。【解決手段】配管取付対象部Ｗに沿わせて配置される配管を径方向に２分割構成の分割配管カバーで全周を覆うように形成された長尺配管カバーＬの一端部を連通接続状態に係合連結させる係合連結部９Ｃを備えた配管カバーから構成してある配管カバー装置であって、係合連結部９Ｃは、長尺配管カバーＬを構成する一対の分割配管カバーの内、配管取付対象部側に配置させる取付側分割配管カバー１を、それの長手方向に対して交差する方向から操作することにより係合可能に構成してある。【選択図】図７
2014040863.tif 000002
【特許請求の範囲】
【請求項１】
配管取付対象部に沿わせて配置される配管を径方向に２分割構成の分割配管カバーで全周を覆うように形成された長尺配管カバーの一端部を連通接続状態に係合連結させる係合連結部を備えた配管カバーから構成してある配管カバー装置であって、
前記係合連結部は、前記長尺配管カバーを構成する一対の分割配管カバーの内、配管取付対象部側に設置させる取付側分割配管カバーを、それの長手方向に対して交差する方向から操作することにより係合可能に構成してある配管カバー装置。
【請求項２】
前記係合連結部は、前記取付側分割配管カバーを、前記配管取付対象部の対向側から前記配管取付対象部側に向かう方向に操作することにより係合可能に構成してある請求項１に記載の配管カバー装置。
【請求項３】
前記配管カバーは、配管カバー敷設経路の途中で一対の長尺配管カバーどうしを接続する状態で設置される継手配管カバー、又は、配管カバー敷設経路の端部に設置される端部配管カバーである請求項１又は２に記載の配管カバー装置。
【請求項４】
前記係合連結部は、前記一対の分割配管カバーどうしの係合部に対して係合自在に構成してある請求項１〜３の何れか一項に記載の配管カバー装置。
【請求項５】
前記係合連結部は、係合させた前記取付側分割配管カバーの係合状態を維持する係合維持手段を備えている請求項１〜４の何れか一項に記載の配管カバー装置。
【発明の詳細な説明】
【技術分野】
【０００１】
本発明は、例えば、壁面や床面や天井面等の配管取付対象部に沿わせて配置される給湯配管や、冷媒配管や、電気配管等の配管に対する配管カバー装置に関し、更に詳しくは、配管取付対象部に沿わせて配置される配管を径方向に２分割構成の分割配管カバーで全周を覆うように形成された長尺配管カバーの一端部を連通接続状態に係合連結させる係合連結部を備えた配管カバーから構成してある配管カバー装置に関する。
【背景技術】
【０００２】
この種の配管カバー装置は、例えば、図１に示すように、長尺配管カバーＬとの組合せによって、台所に設置される給水管Ｐなどの一連の配管経路のカバーを可能にするものであり、配管カバー敷設経路の途中で一対の長尺配管カバーＬどうしを接続する状態で設置される継手部配管カバーＦ０（エルボカバーやチーズカバー等）や配管カバー敷設経路の端部に設置される端部配管カバーＦ０（壁貫通部カバーや端末カバー等）等から構成されている。
【０００３】
そして、従来、図１９に示すように、長尺配管カバーＬの一端部を連通状態に係合連結させる継手部配管カバーＦ０の前記係合連結部９Ｃは、以下のように構成されていた。
【０００４】
係合連結部９Ｃは、径方向に２分割構成された長尺配管カバーＬの内の、壁Ｗ側の分割部材である取付側分割配管カバー１の底部分にあたる長尺ベース部４を、壁Ｗとの間で挟持できるように構成してある。
具体的には、壁Ｗとの間に前記長尺ベース部４の厚み寸法に相当する隙間Ｓをあけた状態で継手部配管カバーＦ０から壁Ｗに沿って突出する突出片部２６が設けてあり、この突出片部２６によって係合連結部９Ｃが構成されている。因みに、取付側分割配管カバー１は、長尺ベース部４の両側縁部にそれぞれ側壁となる突条部５を立設して構成してある。
【０００５】
このような従来の継手部配管カバーＦ０を、壁Ｗに取り付ける手順としては、以下のような形態がある。
第１の取付形態は、壁Ｗに取り付けた継手部配管カバーＦ０に、長尺配管カバーＬを取り付ける方法であり、まず、取付側分割配管カバー１の一端部の凹部（長尺ベース部４と一対の突条部５とで囲まれた凹部）に、突出片部２６が嵌り込むように、取付側分割配管カバー１を、その長手方向に沿って前記隙間Ｓに挿入して一端部を仮固定させた状態で（例えば、特許文献１参照）、ビス等を使用して壁Ｗに本固定する方法で取り付けが実施される。
即ち、係合連結部９Ｃは、継手部配管カバーＦ０に対して、取付側分割配管カバー１の一端部を、それの長手方向に沿って係合操作することで係合連結するように構成されている。
また、このような取付側分割配管カバー１の係合操作の際には、動きを阻害するものが他端部側にあると操作上の障害となるから、取付側分割配管カバー１の他端部側に位置させる別の継手部配管カバーＦ０は、取付側分割配管カバー１の設置が完了した後に、取り付けることになる。
即ち、複数の継手部配管カバーＦ０と複数の長尺配管カバーＬとを壁Ｗに取り付けるには、一端側から他端側に順番に前記係合連結部９Ｃを使用して取付作業が実施される。
【０００６】
第２の取付形態は、壁Ｗに、長尺配管カバーＬの取付側分割配管カバー１を取り付けてから、その両端部に、継手部配管カバーＦ０を取り付ける方法であり、この場合は、取付側分割配管カバー１の端部の凹部（長尺ベース部４と一対の突条部５とで囲まれた凹部）に、継手部配管カバーＦ０の突出片部２６が嵌り込むように、それぞれの継手部配管カバーＦ０を、取付側分割配管カバー１の長手方向に沿って近接させて係合連結させるものである。
【先行技術文献】
【特許文献】
【０００７】
【特許文献１】特開平１１−７２１９３号公報（段落番号〔００１８〕、〔００２１〕図３、４、９）
【発明の概要】
【発明が解決しようとする課題】
【０００８】
上述した従来の配管カバー装置によれば、係合連結部は、配管カバーに対して、取付側分割配管カバーを、それの長手方向に沿って係合操作することで係合連結するように構成されているから、上述のように、複数の配管カバーと複数の長尺配管カバーとを連続させて設置するような場合、それらの取付手順は、前記第１の取付形態か第２の取付形態に限られることになる。
しかしながら、各配管カバーや長尺配管カバーの取付作業は、現場の都合で特定のものについて先行して取り付けたい場合や、全ての配管カバーや長尺配管カバーを取り付けた後に、特定のものだけを取り外したい場合があり、上述した従来の配管カバーによれば、このような不規則な着脱手順に対応することが困難であり、着脱手順の自由性が低いといった問題点があった。
【０００９】
従って、本発明の目的は、上記問題点を解消し、配管取付対象部への着脱手順の自由性が高い配管カバー装置を提供するところにある。
【課題を解決するための手段】
【００１０】
本発明の第１の特徴構成は、配管取付対象部に沿わせて配置される配管を径方向に２分割構成の分割配管カバーで全周を覆うように形成された長尺配管カバーの一端部を連通接続状態に係合連結させる係合連結部を備えた配管カバーから構成してある配管カバー装置であって、前記係合連結部は、前記長尺配管カバーを構成する一対の分割配管カバーの内、配管取付対象部側に設置させる取付側分割配管カバーを、それの長手方向に対して交差する方向から操作することにより係合可能に構成してあるところにある。
【００１１】
本発明の第１の特徴構成によれば、係合連結部を使用することで、当該配管カバーに対して、取付側分割配管カバーを、それの長手方向に対して交差する方向から係合させることができるようになる。
従って、取付側分割配管カバーの位置を空けたまま両端側の配管カバーを先行させて配管取付対象部に取り付けた後、それらの間に取付側分割配管カバーを、それの長手方向に対して交差する方向から位置させて、両端側をそれぞれ対応する係合連結部に係合させる従来ではできなかった第３の取付形態が実施可能になり、この第３の取付形態の実施により、長尺配管カバーの取付側分割配管カバーの両端部の夫々を一対の当該配管カバーの夫々の係合連結部に係合させた安定した状態で取付側分割配管カバーを連結することができる。
勿論、従来のとおり、一端側の配管カバーを先ず取り付け、続いて隣接する取付側分割配管カバーを取り付け、他端側の配管カバーを取り付けるといった前記第１の取付形態や、取付側分割配管カバーを取り付けてから、その両端部にそれぞれの配管カバーを取り付けるといった前記第２の取付形態をとることもできる。
更には、一連の配管カバー敷設経路に沿って複数の取付側分割配管カバーと当該配管カバーとを係合連結させて取り付けてある状態で、何れかの取付側分割配管カバーのみ、又は、何れかの当該配管カバーのみを取り外すといった取り外し手順をとることもできる。
即ち、当該配管カバー装置によれば、配管取付対象部への一連の着脱手順の自由性を向上させることができる。
【００１２】
本発明の第２の特徴構成は、前記係合連結部は、前記取付側分割配管カバーを、前記配管取付対象部の対向側から前記配管取付対象部側に向かう方向に操作することにより係合可能に構成してあるところにある。
【００１３】
配管取付対象部の周辺には、当該配管の他に、例えば、他の配管や、壁等の他物が位置していることがあり、係合連結部への取付側分割配管カバーの係合操作は、これらの他物の存在によって影響を受けることがある。
本発明の第２の特徴構成によれば、取付側分割配管カバーの設置部側方に、他物が存在している場合でも、その他物が、係合連結部への取付側分割配管カバーの係合操作の障害となり難く、スムーズに係合連結させることができる。
【００１４】
本発明の第３の特徴構成は、前記配管カバーは、配管カバー敷設経路の途中で一対の長尺配管カバーどうしを接続する状態で設置される継手部配管カバー、又は、配管カバー敷設経路の端部に設置される端部配管カバーであるところにある。
【００１５】
本発明の第３の特徴構成によれば、前述の第３の取付形態のより好ましい形態として、継手部配管カバー、又は、端部配管カバーを、長尺配管カバーより先に取り付けておいた後に、それらにわたって長尺配管カバーを係合連結させる取付形態が実施可能となる。
つまり、当該配管カバーや長尺配管カバーの取り付けに際しては、特に長尺配管カバーに関して、予め定尺長さ寸法に形成されたものを、現場の寸法に合わせて切断して使用する関係上、現場合わせで正確に寸法取りを実施できることが望まれる。この意味において、前述の取付形態を採用できるようになることで、長尺配管カバーの両端に取り付けられる当該配管カバーを、先行させて設置しておけるから、それらの間隔寸法を現場で計測して正確な長さに長尺配管配管カバーを切断することが可能となる。
しかも、前述の取付形態では、長尺配管カバーに先だって継手部配管カバー又は端部配管カバーを設置することで、配管カバー敷設経路の要所を先に確定することができるから、配管カバー敷設経路が予定経路から位置ズレすることも抑止することができる。
【００１６】
本発明の第４の特徴構成は、前記係合連結部は、前記一対の分割配管カバーどうしの係合部に対して係合自在に構成してあるところにある。
【００１７】
本発明の第４の特徴構成によれば、長尺配管カバーを構成する一対の分割配管カバーどうしの係合部を利用して、当該配管カバーの係合連結部と係合させることができるようになり、長尺配管カバーとして特別な構造を採用せずに、従来のものをそのまま使用することができ、コストアップの防止に努めることができる。
【００１８】
本発明の第５の特徴構成は、前記係合連結部は、係合させた前記取付部側分割配管カバーの係合状態を維持する係合維持手段を備えているところにある。
【００１９】
本発明の第５の特徴構成によれば、係合連結部で当該配管カバーに係合させてある取付部側分割配管カバーが、不用意に外れることを、係合維持手段によって防止できる。
従って、配管取付対象部が壁面や天井面であっても、当該配管カバーに係合連結させた取付部側分割配管カバーが脱落することを防止でき、安定した係合連結状態を維持することが可能となる。
【図面の簡単な説明】
【００２０】
【図１】配管カバーの設置状況を示す斜視図
【図２】配管カバーと長尺配管カバーとの連結状況を示す斜視図
【図３】配管カバーと長尺配管カバーとの連結状況を示す分解斜視図
【図４】配管カバーと長尺配管カバーとの連結状況を示す平面図
【図５】図４におけるＶ−Ｖ破断線による断面図
【図６】図４におけるＶＩ−ＶＩ破断線による断面図
【図７】係合連結部の係合手順を示す説明図
【図８】係合連結部の係合手順を示す説明図
【図９】係合連結部の係合手順を示す説明図
【図１０】別実施形態の係合連結部を示す斜視図
【図１１】別実施形態の係合連結部の係合手順を示す説明図
【図１２】別実施形態の係合連結部の係合手順を示す説明図
【図１３】別実施形態の係合連結部の係合手順を示す説明図
【図１４】別実施形態の係合連結部の係合手順を示す説明図
【図１５】別実施形態の係合連結部の係合手順を示す説明図
【図１６】別実施形態の係合連結部の係合手順を示す説明図
【図１７】別実施形態の係合連結部の係合手順を示す説明図
【図１８】別実施形態の係合連結部の係合手順を示す説明図
【図１９】従来例の係合連結部を示す斜視図
【発明を実施するための形態】
【００２１】
以下に本発明の実施の形態を図面に基づいて説明する。尚、図面において従来例と同一の符号で表示した部分は、同一又は相当の部分を示している。
【００２２】
図３、図４は、壁（配管取付対象部の一例）Ｗの壁貫通部Ｗａから壁面に沿って導出される配管Ｐを覆う状態に、本発明の配管カバーＦの一実施形態品（以後、単に配管カバーＦ１という）と、長尺配管カバーＬとを設置する状況を示している。
【００２３】
配管Ｐは、当該実施形態においては、給水管を例に挙げて説明する。
【００２４】
長尺配管カバーＬは、合成樹脂製の成形品として構成してあり、壁Ｗ側とその対向側との径方向に２分割構成の取付側分割配管カバー１と、覆い側分割配管カバー２とで構成してある。
取付側分割配管カバー１と覆い側分割配管カバー２とは、その径方向に沿って相対近接させることで係合可能であると共に、径方向に沿って相対離間させることで係合解除可能な係合着脱部３を（図３参照）、取付側分割配管カバー１・覆い側分割配管カバー２の長手方向での全長、又は、ほぼ全長にわたって設けてある。
配管Ｐは、取付側分割配管カバー１と覆い側分割配管カバー２との間に配置される。
【００２５】
取付側分割配管カバー１は、図２、図３に示すように、壁Ｗに沿わせて接当させる長尺ベース部４を設け、その長尺ベース部４の両側縁部にその長手方向での全長、又は、ほぼ全長にわたって、ベース部巾方向にそれぞれ弾性変形自在に形成された一対の突条部５を設けて構成してある。また、両突条部５の基端部には、ベース部巾方向での中央側に開口した溝部６と、その上方にベース部幅方向での外側に開口した溝部（係合部に相当）７とを設けてある。
尚、溝部６は、配管Ｐを支持する支持部材Ｃを嵌合できるように構成してあり（図６参照）、溝部６の長手方向に間隔をあけた複数箇所に、その支持部材Ｃを取り付けて、配管Ｐを取付側分割配管カバー１に支持することができる。
【００２６】
壁Ｗへの取付側分割配管カバー１の取り付けは、例えば、長尺ベース部４表面側からビス止めしたり、裏面側に接着剤を塗布（又は、両面テープを貼着）して取り付けることができる。
【００２７】
一方、覆い側分割配管カバー２は、図３、図６に示すように、横断面形状が逆「Ｕ」字形状に形成してあり、内周縁部には、その長手方向での全長、又は、ほぼ全長にわたって、前記溝部７に係入自在な凸条部８を設けてある。
溝部７と凸条部８とによって、係合着脱部３が構成されている。
【００２８】
従って、図３に示すように、長尺ベース部４に対して、覆い側分割配管カバー２を長尺配管カバーＬの径方向に沿って近接させながら被せるに伴い、凸条部８が溝部７に係入（長尺ベース部４の突条部５は、径方向の内側に弾性変形すると共に、覆い側分割配管カバー２は、径方向の外側に弾性変形し、凸条部８が溝部７の縁部を乗り越えながら溝部７に係入）し、両者を係合させることができる。また、長尺ベース部４に対して覆い側分割配管カバー２を、径方向に沿って引き離す方向に引っ張ることによって、溝部７に係入している凸条部８が、外れ方向に乗り越えて係合解除することが可能となる。
このような、係合、係合解除に伴っては、突条部５の基端部に前記溝部６を形成してあることによって、弾性変形による突条部５の揺動支点が、溝部６の底部分に設定され、突条部の突出腕長さをフルに利用してスムースに弾性変形させることが可能となる。
【００２９】
配管カバーＦ１は、合成樹脂製の成形品として構成してあり、壁Ｗ側とその対向側との径方向に２分割構成のベース板部材９と、キャップ部材１０とで構成してある。ベース板部材９とキャップ部材１０とは係合連結自在に構成してあり、配管Ｐは、ベース板部材９とキャップ部材１０との間に配置される。
【００３０】
ベース板部材９は、図２に示すように、壁Ｗに沿わせて配置される矩形板のベース部９Ａと、ベース部９Ａの側縁部から立設状態に設けられた側壁部９Ｂと、両側壁部９Ｂにおける端面から長尺ベース部４設置側にそれぞれ突出する状態に設けられた係合連結部９Ｃと、両側壁部９Ｂの長尺ベース部４設置側端部にわたる状態でベース部９Ａに立設された前壁部９Ｄとを備えて構成されている。
【００３１】
ベース部９Ａの中心軸線上には、軸方向に間隔をあけて複数のビス穴１１が形成してある。これらビス穴１１に固定用のビスを挿通して壁Ｗにネジ込むか、ベース部９Ａの裏面に接着材を塗布（又は、両面テープを貼着）して壁Ｗに押し付けることで、ベース板部材１を壁Ｗに固定することができる。
【００３２】
側壁部９Ｂは、外面の両端縁部と上端縁部とで囲まれた中央部を窪ませてあり、この窪みで構成される凹状部１２に、キャップ部材１０の凸状部１０ａが係合することで互いの離脱を防止できる（図５参照）。
【００３３】
左右夫々の係合連結部９Ｃは、図７〜９に示すように、縦壁状の揺動片として構成してあり、取付側分割配管カバー１の長尺ベース部４に外接する間隔をあけて設けてある。基端部を揺動支点として、両先端部どうしが離間方向に弾性変形できるように形成されている。
また、上縁部における先端側約半分の範囲には、取付側分割配管カバー１の溝部７に係合自在な係合爪（係合維持手段Ｅの一例）１３が、対向方向に突出する状態にそれぞれ形成してある。
従って、壁Ｗにベース板部材９を取り付けてある状態で、取付側分割配管カバー１を、壁Ｗの対向側から壁Ｗに近接させる方向で、両係合連結部９Ｃの間に挿入すると（図７参照）、取付側分割配管カバー１の長尺ベース部４によって係合連結部９Ｃは離間方向に押し拡げられた後（図８参照）、係合爪１３が長尺ベース部４を乗り越えて、係合連結部９Ｃの弾性復元力の作用によって係合爪１３が取付側分割配管カバー１の溝部７に係入し、両者を係合連結することができる（図９参照）。また、係合爪１３によって上述の係合連結状態を維持することができる。
このように、係合連結部９Ｃは、取付側分割配管カバー１の係合操作方向が、壁Ｗの対向側から壁Ｗに向かう方向となるように構成してある。
【００３４】
キャップ部材１０は、図３に示すように、ベース板部材９に被さる「Ｕ」字断面形状の筒部１０Ａと、筒部１０Ａの一端側に連続して配管Ｐの壁貫通部に被さるハット状のキャップ部１０Ｂとを設けて構成してある。
【００３５】
筒部１０Ａの内周部には、ベース板部材９の側壁部９Ｂに形成された凹状部１２に係合自在な凸状部１０ａが形成してあり、キャップ部材１０をベース板部材９に被せて壁Ｗ側に押圧すると、筒部１０Ａが弾性変形しながら凸状部１０ａが、凹状部１２の上縁部を乗り越えて凹状部１２に係入し、両者を係合連結することができる。
【００３６】
キャップ部１０Ｂには、壁Ｗ側の縁部に鍔状部１０ｂが形成してあり、この鍔状部１０ｂが壁Ｗに沿う状態にキャップ部材１０は設置される。
鍔状部１０ｂの一部には、ビス穴Ｈが形成してあり、このビス穴Ｈに固定用のビスを挿通して壁Ｗにネジ込むことで、キャップ部材１０を壁Ｗに固定することができる。
【００３７】
当該配管カバーＦ１と長尺配管カバーＬとの壁Ｗへの取付手順の一例を説明すると、次のとおりである。
［１］配管Ｐが壁Ｗを貫通する壁貫通部Ｗａの近傍所定位置に、配管カバーＦ１のベース板部材９をビス等によって固定する。
［２］ベース板部材９の係合連結部９Ｃに、取付側分割配管カバー１を壁Ｗの対向側から壁Ｗに向かう操作方向で係合連結させる（図７〜９参照）。取付側分割配管カバー１は、一端側を係合連結部９Ｃに係合させた状態で全体が所定姿勢となるように位置合わせを行った後、ビス等によって壁Ｗに本固定する。尚、取付側分割配管カバー１の他端側には、図には示さないが、別の配管カバーＦを設置しておく。
［３］一連につながったベース板部材９と取付側分割配管カバー１との上に、配管Ｐを配置して支持させる（図３参照）。
［４］取付側分割配管カバー１に対して覆い側分割配管カバー２を取り付けると共に、ベース板部材９にキャップ部材１０を取り付けて壁Ｗにビス止めする（図３参照）。
【００３８】
本実施形態の配管カバーＦ１によれば、配管カバーＦ１の係合連結部９Ｃに対して、取付側分割配管カバー１を、壁Ｗの対向側から壁Ｗに向かう操作方向で係合連結させることができるようになる。
従って、一対の配管カバーＦ１を壁面に沿って間隔をあけた所定位置に取り付けた状態で、それらの間に取付側分割配管カバー１を後で設置するといった取付手順や、取り付けた後に取付側分割配管カバー１のみを単独で取り外すといった取外手順を、自由に選択して実施できるようになる。
その結果、壁Ｗへの配管カバーＦ１の一連の着脱手順の自由性を向上させることができる。
そして、壁Ｗへの配管カバーＦ１や長尺配管カバーＬの取付手順として、一対の配管カバーＦ１を壁面に沿って間隔をあけた所定位置に取り付けた状態で、それらの間に、長尺配管カバーＬを後で設置する方法を採用すれば、先行させて設置した配管カバーの間隔寸法に合わせて、現場で長尺配管配管カバーの定尺ものを切断して係合連結することができ、高い寸法精度を確保した状態で、カバー設置作業を実施できる。
また、配管カバーＦ１を設置する時点では、長尺配管カバーＬが設置されてないから、長尺配管カバーＬの存在によって当該配管カバーＦ１の設置位置がずれるといった虞もなく、例えば、予め壁Ｗにマーキングされた罫書き線等に合わせて精度良く当該配管カバーＦ１を設置することができる。
加えて、長尺配管カバーＦ１を、一対の当該配管カバーＦ１の間の配管カバー敷設経路に取り付ける際に、両端部を、それぞれの当該配管カバーＦ１の係合連結部９Ｃに係合連結させることができるから、一端部のみを係合連結させる方法に比べて、より確実に且つ正確に位置決めすることができる。
また、取付側分割配管カバー１の設置予定位置の側方に、例えば、別の配管等が位置していても、問題なく取付側分割配管カバー１を配管カバーＦ１に係合連結することができる。
更には、係合連結部９Ｃを係合させる長尺配管カバーＬの対象部は、覆い側分割配管カバー２と取付側分割配管カバー１との係合連結に使用されている溝部７であるから、長尺配管カバーＬとして特別な構造を採用する必要が無く、通常のものを使用できるからコストアップを防止できる。
【００３９】
〔別実施形態〕
以下に他の実施の形態を説明する。
【００４０】
〈１〉  配管取付対象部Ｗは、先の実施形態で説明した壁に限るものではなく、例えば、床や、天井や、取付フレーム等であってもよく、それらを総称して配管取付対象部Ｗという。
【００４１】
〈２〉  配管Ｐは、先の実施形態で説明した給水管に限るものではなく、例えば、給湯配管や、冷媒配管や、電気配管等であってもよく、それらを総称して配管Ｐという。
また、配管カバーＦや、長尺配管カバーＬの分割部材どうしは、必ずしも別体であることに限らず、例えば、ヒンジ部を介して揺動開閉自在に一体形成されていてもよい。
【００４２】
〈３〉  係合連結部９Ｃは、先の実施形態で説明した取付側分割配管カバー１の係合操作方向が、配管取付対象部（壁）Ｗの対向側から配管取付対象部（壁）Ｗに向かう方向、つまり、長尺配管管カバーＬの高さ方向（径方向の一例）となるように構成してあるものに限るものではなく、例えば、図１０〜１８に示すように、係合操作方向が、長尺配管カバーＬの幅方向（径方向の一例）に沿う方向（図中の矢印で示す方向）となるように構成してあってもよく、要するに、係合連結部９Ｃは、取付側分割配管カバー１を、それの長手方向に対して交差する方向からの操作により係合可能に構成してあればよい。
【００４３】
〈４〉  上述の〈３〉に記載した係合連結部９Ｃの具体例の一つを備えた配管カバーＦ２について説明する。尚、先の実施形態と同様の構成については、説明を割愛する。
この実施形態における係合連結部９Ｃは、図１０〜１５に示すように、先の実施形態で説明した縦壁状の一対の揺動片に替えて、円柱状の揺動ピン部１４ｂを備えた一対の揺動片１４で構成してある。
この揺動片１４は、ベース部９に立設させた基端部１４ａと、基端部１４ａの上端から長尺配管カバーＬの設置側に突出する円柱状の揺動ピン部（係合維持手段の一例）１４ｂとを備えて構成してある。揺動ピン部１４ｂは、基端部１４ａに対して先端側が径方向に弾性的に揺動変形できるように構成されている。
また、ベース部９の底面から揺動ピン部１４ｂ下面までの高さ寸法ｈ１は、取付側分割配管カバー１の高さ寸法ｈ２より若干小さく設定してある（図１１参照）。
取付側分割配管カバー１を、揺動片１４の側方から配管取付対象部（壁）Ｗに沿って揺動ピン部１４ｂの下方に挿入させるに伴って、挿入前端側の突条部５ａによって挿入口側の揺動ピン部１４ｂが上方に押し上げられて下方通過を許容する（図１２〜１４参照）。
そのまま、取付側分割配管カバー１の挿入を続け、挿入前端側の突条部５ａが挿入口より奥側の揺動ピン部１４ｂを押し上げて乗り越えた時点で、挿入後端側の突条部５ｂが、挿入口側の揺動ピン部１４ｂに当接する（図１５参照）。よって、両突条部５ａ，５ｂと両揺動ピン部１４ｂ，１４ｂとの当接によって互いの位置規制が図られ、配管カバーＦ２と、取付側分割配管カバー１とを係合連結させ、その連結状態を維持することができる。
【００４４】
〈５〉  上述の〈３〉に記載した係合連結部９Ｃの二つ目の具体例を備えた配管カバーＦ３について説明する。尚、先の実施形態と同様の構成については、説明を割愛する。
この実施形態における係合連結部９Ｃは、図１６〜１８に示すような揺動片１４を備えて構成されている。この揺動片１４は、上述の〈４〉で説明した左右の揺動ピン部１４ｂどうしが、先端部において上方に凹状に湾曲した連結部（係合維持手段の一例）１４ｃで連結されている。
この揺動片１４によれば、連結部１４ｃの下面によって構成される凸曲面１４ｄが、下方に挿入された取付側分割配管カバー１の突条部５ａ，５ｂに当接しており（図１８参照）、揺動片１４の弾性復元力の作用によって、取付側分割配管カバー１の係合位置を中央側に誘導してずれ止めを図って係合状態を維持できる効果がある。
【００４５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００４６】
１      取付側分割配管カバー
７      溝部（係合部に相当）
９Ｃ    係合連結部
Ｅ      係合維持手段
Ｌ      長尺配管カバー
Ｐ      配管
Ｗ      壁（配管取付対象部の一例）
【図１】
2014040863.tif 000003
【図２】
2014040863.tif 000004
【図３】
2014040863.tif 000005
【図４】
2014040863.tif 000006
【図５】
2014040863.tif 000007
【図６】
2014040863.tif 000008
【図７】
2014040863.tif 000009
【図８】
2014040863.tif 000010
【図９】
2014040863.tif 000011
【図１０】
2014040863.tif 000012
【図１１】
2014040863.tif 000013
【図１２】
2014040863.tif 000014
【図１３】
2014040863.tif 000015
【図１４】
2014040863.tif 000016
【図１５】
2014040863.tif 000017
【図１６】
2014040863.tif 000018
【図１７】
2014040863.tif 000019
【図１８】
2014040863.tif 000020
【図１９】
2014040863.tif 000021